(57)【要約】      （修正有）【課題】目の不自由な人の歩行や車椅子に乗っての進行などがガタつきなくまた転倒のおそれなく円滑かつ安全になされるようにし、進路誘導機能が確実に得られるようにした目の不自由な人等への進路誘導システムを提供する。【解決手段】面状の本体４に案内指標部５を備え裏面を介して設置対象面３に定着可能とされた進路案内床張材１と、案内指標部５を先端で検知して指示内容が所持する利用者に伝わるようにした検知ホルダー部材１７との組み合わせでなり、進路案内床張材１の案内指標部５は、鉄材あるいは磁性材などの被検知材を一体に備えるとともに進路案内床張材１の本体４上面と略同面状をなすように設けられ、検知ホルダー部材１７は、進路案内床張材１の案内指標部５に臨んだ際、検知反応を電気的に得るセンサー２２と、このセンサー２２からの検知反応に基づき利用者に電気的に音や振動、発光などで次の行動指示を伝える伝播手段２０とを有する。【選択図】図２
0003218148.tif 000002
【実用新案登録請求の範囲】
【請求項１】
面状の本体に案内指標部を備え裏面を介して設置対象面に定着可能とされた進路案内床張材と、前記案内指標部を先端で検知して該案内指標部の指示内容が所持する利用者に伝わるようにした検知ホルダー部材との組み合わせでなる目の不自由な人等への進路誘導システムであって、前記進路案内床張材の案内指標部は、鉄材あるいは磁性材などの被検知材を一体に備えるとともに該進路案内床張材の本体上面と略同面状をなすように設けられ、前記検知ホルダー部材は、進路案内床張材の案内指標部に臨んだ際該案内指標部との関係において規定された検知反応を電気的に得るセンサーと、このセンサーからの検知反応に基づき利用者に電気的に音や振動、発光などで次の行動指示を伝える伝播手段とを有することを特徴とする目の不自由な人等への進路誘導システム。
【考案の詳細な説明】
【技術分野】
【０００１】  本考案は、目の不自由な人等への進路誘導システムに関する。
【背景技術】
【０００２】  一般道路や駅の構内・ホームなどには目の不自由な人のために点字ブロックと称されるものが設置されている。この点字ブロックの個々は、直進などに進路を誘導する誘導ブロックとか直進から交差する左右いずれかに方向転換を促すための警告ブロックなどの組み合わせでなり、道路や駅ホーム以外に明かりのない夜間歩行時とか地下街で地震避難時などにおいて安全誘導がなされるようにしてあって非常に有効である。
【先行技術文献】
【特許文献】
【０００３】
【特許文献１】
【考案の概要】
【考案が解決しようとする課題】
【０００４】  しかし、従来のブロックは、やや軟質の四角形の樹脂（ポリウレタンエラストマー）製マットからなるが、例えば、誘導ブロックにあっては本体マットの上面に平行な３本あるいは４本のライン状突起（案内指標部）を一体形成したものとされ、また警告（注意喚起）ブロックにあっては本体の上面に縦横各５列の点状突起（案内指標部）を配列したものとされてきたため、そこを目の不自由な人や車椅子に乗った人が通ると杖や足先、車椅子の補助車輪などがつまづいたりして転倒などの危険につながるおそれがあった。そうしたことから突起（案内指標部）をハーフドーム型にしてつまづきにくくしまた突起の角が欠落しないようにはしてあるが、突起自体がかなりの突出高さをもつものであるため、前記した危険性は解消するに至っていないのが実状である。【０００５】  本考案は、こうした問題を解決しようとするものであり、目の不自由な人の歩行や車椅子に乗っての進行などがガタつきなくまた転倒のおそれなく円滑かつ安全になされるようにししかも進路誘導機能が確実に得られるようにした目の不自由な人等への進路誘導システムを提供することを目的とする。
【課題を解決するための手段】
【０００６】  本考案は上記目的を達成するため、請求項１に記載の考案は、面状の本体に案内指標部を備え裏面を介して設置対象面に定着可能とされた進路案内床張材と、前記案内指標部を先端で検知して該案内指標部の指示内容が所持する利用者に伝わるようにした検知ホルダー部材との組み合わせでなる目の不自由な人等への進路誘導システムであって、前記進路案内床張材の案内指標部は、鉄材あるいは磁性材などの被検知材を一体に備えるとともに該進路案内床張材の本体上面と略同面状をなすように設けられ、前記検知ホルダー部材は、進路案内床張材の案内指標部に臨んだ際該案内指標部との関係において規定された検知反応を電気的に得るセンサーと、このセンサーからの検知反応に基づき利用者に電気的に音や振動、発光などで次の行動指示を伝える伝播手段とを有することを特徴とする。
【考案の効果】
【０００７】  上述したように請求項１に記載の考案は、面状の本体に案内指標部を備え裏面を介して設置対象面に定着可能とされた進路案内床張材と、前記案内指標部を先端で検知して該案内指標部の指示内容が所持する利用者に伝わるようにした検知ホルダー部材との組み合わせでなる目の不自由な人等への進路誘導システムであって、前記進路案内床張材の案内指標部は、鉄材あるいは磁性材などの被検知材を一体に備えるとともに該進路案内床張材の本体上面と略同面状をなすように設けられ、前記検知ホルダー部材は、進路案内床張材の案内指標部に臨んだ際該案内指標部との関係において規定された検知反応を電気的に得るセンサーと、このセンサーからの検知反応に基づき利用者に電気的に音や振動、発光などで次の行動指示を伝える伝播手段とを有することを特徴とするので、目の不自由な人の歩行や車椅子に乗っての進行などがガタつきなくまた転倒のおそれなく円滑かつ安全になされるようにししかも進路誘導機能が確実に得られるようにした目の不自由な人等への進路誘導システムを提供することができる。
【図面の簡単な説明】
【０００８】
【図１】  本考案の一実施形態を示す平面図。
【図２】  図１のＩＩ−ＩＩ線拡大断面図。
【図３】  図１のＩＩＩ−ＩＩＩ線拡大断面図。
【図４】  建物内において実施した他の実施形態を示す斜視図。
【図５】  他の実施形態を示す斜視図。
【図６】  他の実施形態を示す斜視図。
【図７】  横断歩道前において実施した他の実施形態を示す斜視図。
【図８】  付加的な提案例を示す斜視図。
【考案を実施するための形態】
【０００９】  以下、本考案である目の不自由な人等への進路誘導システムの一実施形態を図１ないし図３に基づいて説明する。
これらの図は一般歩道、駅構内や駅ホームなどの設置対象面３を対象として設置された進路誘導システムであって、１は第１進路案内床張材、２は第２進路案内床張材である。
第１進路案内床張材１は、図２にその横断面を拡大して示すように、第１本体４が樹脂（ポリウレタンエラストマー）製のものであって、平面寸法は３０ｃｍ（あるいは４０ｃｍ）角で厚みが２〜３ｃｍ程度のものとされている。これらの寸法は必要により変更されることがある。第１進路案内床張材１の一方向である幅方向には、例えば、６ｃｍ幅で深さが１ｃｍの第１案内指標部５，５が２本平行に一体埋着されてなるもので、第１案内指標部５内には鉄粉粒や磁粉粒などの被検知材ａ…が一体混合されている。第１案内指標部５内には、例えば、鉄あるいは磁性をもつ線材などが混在するようにしてもよい。
【００１０】  また、第２進路案内床張材２は、図３にその横断面を拡大して示すように、第２本体７が樹脂（ポリウレタンエラストマー）マット製のものであって、平面寸法は３０ｃｍ角で厚みが３ｃｍ前後のものとされている。これらの寸法は必要により変更されることがある。第２進路案内床張材２には、直径５ｃｍで深さが１ｃｍ程度の第２案内指標部８…を上からみてＸ字上に複数配列して一体埋着してなるもので、第２案内指標部８内には鉄粉粒あるいは磁粉粒などの被検知材ａ…が一体混合されている。第２案内指標部８内には例えば、鉄あるいは磁性をもつ線材などが混在するようにしてもよい。前記第１、第２進路案内床張材１，２の厚みは２〜５ｍｍの極く薄い樹脂シート（フィルム）にするとその外周縁部でつまづいたりしにくく、その場合外周縁部は斜面カットしてさらに安全なシートにすることができる。進路案内床張材１，２はタイル、カーペット、リノリウムなどとすることもできる。
【００１１】  第１、第２案内指標部５，８は、各本体４，７の上面から上向きに突き出すのではなく突っ掛らないように本体４，７の上面を含めた全体が同面状となるようにされている。また、第１、第２案内指標部５，８の表面は滑りにくい材質にしたり物理的に凹凸状をなすように形成される。
第１、第２案内指標部５，８は、本体４，７である樹脂（ポリウレタンエラストマー）マットと一体成形する場合と、本体４，７に形成した溝内に別体として形成した案内指標部５，８を同面状をなすように埋着一体化する場合とがある。また、図２の右上欄に示すように、本体４，７の上面に鉄粉粒や磁性粉粒（マグネット）である被検知材ａ…を混合した塗料を後塗着して薄い塗着面として案内指標部１６を形成する場合とがある。この場合は、案内指標部１６が本体４，７の上面よりも微少厚さ（２〜３ｍｍ）をもって塗着されことから上面と略同面状ということにしてある。
【００１２】  図１はそれまで従来型誘導ブロック１０…、従来型警告ブロック１１…が貼られていたところそれらを剥がした一般歩道（設置対象面）３に前記第１・第２進路案内床張材１，２…の複数枚をブチル系粘着剤（裏のり）などを使用して貼り付けて進路案内となるようにしたものであり、例えば、図例の場合、第１案内指標部５であるラインを前後に向けて複数枚配列したあと、その端部に第２進路案内床張材２を１枚貼付けたものにしてある。第１進路案内床張材１はそのラインである第１案内指標部５が前後に向けられているので、それを検知する人に進路は前後方向であることを知らせるものになっている。第２進路案内床張材２は、従来の警告ブロック１１に代わるもので、前方の危険の可能性、歩行方向の変更の必要性の予告などを指示するものとなっている。
尚、その横サイドには、中央に大きな丸型をした別タイプの第３案内指標部１３を備えた第３本体１４である第３進路案内床張材１５を併設しておいて、例えば、デパート内に設置使用した場合のデパート内の売り場説明や商品説明ガイドなどにつながるようにしてもよく、また美術館内に設置使用した場合のように各展示品の説明ガイドができるようにすることもできる。
【００１３】  第２進路案内床張材２のさらに前方には、それに直交するようにして第１進路案内床張材１…が貼付けられている。これら第１進路案内床張材１…は、その第１案内指標部５のラインを左右に向けていてそれを検知することで左右が進路方向として適切であることを指示するものになっている。
【００１４】  １７は検知ホルダー部材で、前記案内指標部５，８を先端で検知して該案内指標部５，８の指示内容が所持する利用者に伝わるようにしたものである。同検知ホルダー部材１７は、杖のパイプ部分のようなホルダー本体１８をもち、その上端には持ち手１９がまた下部先端にはゴムキャップ２１が防水式ですべりにくいものとして取り付けられている。ゴムキャップ２１内には、センサー２２が内蔵されていて案内指標部５，８に臨んだ際該案内指標部５，８との関係において規定された検知反応を電気的に得るようにされている。２０は伝播手段で、センサー２２からの検知反応に基づき利用者に電気的に音や振動、発光などで次の行動指示を伝えるものになっている。
前記音はブザー音や誘導ガイドの音声と規定したりすることができる。例えば、ブザー音であれば、第１案内指標部５を検知したときは軽快な「ピンポン・ピンポン…」と報知し、第２案内指標部８を検知したときは危険性もあることから「ブー・ブー…」と報知するようにする。誘導ガイドの音声であれば、第１案内指標部５を検知したときは「そのまま真っ直ぐに進んでください」と、第２案内指標部８を検知したときは「ここで一旦停止して前方を検知して進路を確かめてください」のようにガイドされるようにする。
前記振動については、第１案内指標部５を検知したときは低い振動を発し進行方向に則していること知らせ、第２案内指標部８を検知したときは強い振動を発しそこで一旦停止して前方の進路案内床張材を探るべく知らせるように規定することができる。尚、振動については、センサー２２が進路案内床張材１，２からそれると伝播手段２０が大きな振動を発して警告指示するように規定することもできる。
２３は交換式あるいは充電式などのバッテリである。図３の右欄のように、本体７に対し別シートとして第２案内指標部８´を形成しておいて粘着あるいは熱融着式で取付けるようにしてもよい。
検知ホルダー部材１７は、前記では杖型にしてあるが、靴や靴下、スリッパであってもよい。
【００１５】  図１の下側の第１進路案内床張材１と上側の第１進路案内床張材１との間には、第２進路案内床張材２が一旦停止指示用として配置されているが、第２進路案内床張材２は省略し、その部分に下側の第１進路案内床張材１を配置することもある。また、図１の左下に示すように、Ｒ状の第２案内指標部８´をもつ第２進路案内床張材２´を第１進路案内床張材１，１間に配置して構成することもできる。
【００１６】  図４は一般住宅や老人ホーム、リハビリテーション施設などの建物内の１階ないし上階に目の不自由な人４０等への進路誘導システムを実施した例を示す。
３０は床面、３１は手前・奥側・左右の側壁、３２は複数のドア、３３は柱、３４は安全手摺をそれぞれ示している。
室内床面の略中央には、手前のドア（図示省略）から入って向う側へ向かうように第１進路案内床張材１…の複数枚が貼付けられており、その終端には第２進路案内床張材２が貼付けられるとともに、それらに直交するようにして左右いずれかを進行方向とするように第１進路案内床張材１…が貼付けられている。第１進路案内床張材１の右端と左端には第２進路案内床張材２，２が設けられ、左端の第２進路案内床張材２から手前側へは第１進路案内床張材１…がまたその手前には第２進路案内床張材２…が設けられてそれぞれドア３２，３２に直面する形になっている。
【００１７】  これに対して、１７は検知ホルダー部材で、前記案内指標部５，８を先端で検知して該案内指標部５，８の指示内容が所持する利用者に伝わるようにしたものである。同検知ホルダー部材１７は、杖のパイプ部分のようなホルダー本体１８をもち、その上端には持ち手１９がまた下部先端にはゴムキャップ２１が防水式ですべりにくいものとして取り付けられている。ゴムキャップ２１内には、センサー２２が内蔵されていて案内指標部５，８に臨んだ際該案内指標部５，８との関係において規定された検知反応を電気的に得るようにされている。２０は伝播手段で、センサー２２からの検知反応に基づき利用者に電気的に音や振動、発光などで次の行動指示を伝えるものになっている。
【００１８】  目の不自由な人４０は図４に示す第１、第２進路案内床張材１，２の敷設された範囲に添って自由に行き来することができる。尚、前記第１、第２進路案内床張材１，２は、タイルカーペットなどのカーペットやリノリウムであってもよく、また畳、床板であってもよい。
尚、図４の右側に示すものは柱３３表面にゴムクッション３８を貼付けておくことで老人などが倒れてきても安全なようにしてあり、特に、その手前の床面上に進路案内床張材３９を貼付けておくことにより検知ホルダー部材１７で柱３３に衝突する危険を知らせることでそれ以上前進して柱３３にぶつからないようにしている。
【００１９】  図４では進路案内床張材１…、２…が敷設されていて検知ホルダー部材１７により進路を得るようにしていたが、これらの進路案内床張材１，２および検知ホルダー部材１７などを全て省略して、スマホあるいはタブレットなどの情報処理端末機器４５に該部屋を含む関連部屋の間取り情報（トイレやバス、冷蔵庫などの設備・設置品の配置情報も含む）や安全歩行ルート情報などをデーター化してインプットしておきさらにその住居内での住人（目の不自由な人４０）の位置情報をＧＰＳ（全地球測位システム）との連携によって検知可能にするとともに常時住人４５の部屋内での居場所と身体向きの情報を前記ＧＰＳなどとの情報連係によって確認できるようにしつつ住人４５の進むべき目的場所を音声で指示することによりこれらのシステムにより住人の進むべき方向を次々と音声などで指示誘導できるようにすることができる。スマホなどの他に、設置台４３に設置のＡＩスピーカー４２により同様にＧＰＳ連携のもと住人４５を音声で進路誘導させることができるようにしてもよい。これらの情報機器にＡＩカメラ４１，４１を組み合わせて進路誘導を行うようにすることもできる。
前記ＧＰＳやＡＩカメラ、ＡＩスピーカーなどを利用すれば進路案内床張材などを敷設する必要がなくなり、例えば、畳が敷設されたところや一般リビング等の床板が敷設されたところであっても目の不自由な人などを安全に進路誘導することができるようになる。
【００２０】  図４に示す進路案内床張材１，２は２〜３ｃｍの樹脂マット製のものであったが、図５に示すように、透明（あるいは非透明）粘着式シート（フィルム）である極く薄い帯長状本体５１に被検知材ａ…を含む１本あるいは複数本ライン型案内指標部５４付きの進路案内床張材５２として巻芯５０回りに巻き付け・繰出し可能に構成することができる。この進路案内床張材５２は図のように繰出して床面５３に貼り付けることでラインに添った方向に前進可能であることを指示でき、また同図右欄のように進路案内床張材５２を四角に２枚カットしたものを案内指標部５４，５４が十字となるように重ね合わせて床面５３に貼り付けるようにすることで一時停止用の進路案内床張材５５を構成することができる。一定長さ（例えば、２ｍ）にカットした進路案内床張材５２を床面５３に貼り付け、その端部に図５の右欄の進路案内床張材５５を貼付けるとともに、図１の上側のようにラインを横向きにした進路案内床張材５２を貼付けておけば、図１と同様の進路誘導ができるようになる。特に、図１、図４のものとは進路案内床張材の厚みが大きく異なることから進路案内床張材５１，５４の側縁のなす高さが２〜３ｍｍと非常に低く床面と同化する程度になるので利用者が転倒したりガタ付いたりするおそれが非常に少なくなる。
尚、案内指標部５４は、本体５１の裏面に一体形成することで剥がれにくい案内指標部となる。進路案内床張材５５は、進路案内床張材５２をカットして重ねたものとされていたが、１枚の本体に十字型をした案内指標部を形成してなるものにしてカットして使用するようにしてもよい。
【００２１】  図６は摩耗に強い透明樹脂シートでなる本体６１にバーコードである案内指標部６２…を一定間隔置きに付した進路案内床張材６０についての例で、この進路案内床張材６０は床面に貼り付け可能としてあり、またその一端には他の構成のバーコードである案内指標部６５をもつ四角形状の進路案内床張材６６を貼付けるとともに、同進路案内床張材６６の端部には前記進路案内床張材６０をつなげてなることにより例えば、直進と一旦停止および右折直進ができるようになっている。６４はバーコードリーダー型の検知ホルダー部材で先端のセンサー６４ａと伝播手段６４ｂとでなる。案内指標部６２，６５は鉄粉粒や磁性粉粒である被検知材ａ…でなるが本体６１の裏面側に設けることで摩耗に強いものとなる。尚、図６の右上欄に示すように、本体６１の長手方向に一定間隔を置いてマグネット型の案内指標部６８…を埋め込んで進路案内床張材を構成してもよい。
【００２２】  図７は目の不自由な人７０が検知ホルダー部材７１を所持して横断歩道７３に差し掛かった際に一旦停止を促し安全に横断歩道７３を渡れるようにした例を示す。７２は進路案内床張材である。歩道前コンクリート７５には鉄粉粒や磁性粉粒あるいは鉄線材などの被検知材ａ…が練り込まれて一体化された案内指標部７４が設けられ、この案内指標部７４をセンサー７４が一旦停止信号として検知するとそのことを伝播手段７７に伝えて音あるいは振動として目の不自由な人７０に伝えるようになっている。前記検知ホルダー部材７１は杖型であったが、靴型であって靴に設けたセンサーが案内指標部７４を検知して伝播手段で目の不自由な人に警告を伝えるようにしてもよい。
【００２３】  図８は付加的な提案例を示す。地下街や倉庫などの床面には、細幅で一定長さを有する厚さ２ｃｍ前後の進路案内床張材が貼付けられ、それが非常階段への進路を指示するものとなっているが、そのものはそのままでは暗いところで全く方向指示をする機能がなく却ってつまづいて危険ですらあった。
【００２４】  そのことから図８に進路案内床張材７９を示すように四角形をした基盤である広い本体８０の上に細幅状の案内指標部８１を一体化するとともに蛍光塗料（蓄光手段も含む）や発光手段（太陽光発電によるものを含む）を施して暗いところでも遠くから案内指標部８１や避難方向矢印表示８２が目視できるようになる。また、案内指標部８１は従来のように細長いものが床面に直接貼付けられているのでなく、広い本体８０を一旦介して設けられているので、前記蛍光塗料などが機能を発揮できない暗い状況下にあっても本体８０が広いものでありしかも案内指標部８１が本体８０上のやや高いところにあることから、足探りによる方向確認がしやすくなる。
【００２５】  尚、案内指標部８１の内部には空気室を設けるとともにその外部に空気孔８３…を開けておくことによって、案内指標部８１の一側部を避難する人が踏み込めば空気室が潰されるとともに膨らみ復元する作用を伴うことから空気音が発生し、その音を避難する人が聞き取ることで、避難すべき方向が暗くても分かりやすくなって安全避難を可能とするものである。図８の右欄の付加的な提案例のように、進路案内床張材は基盤８０の一側に踏込式の案内指標部８１Ａを他側に空気音発生凸部８１Ｂを分けて設けたものである。
【符号の説明】
【００２６】  １…第１進路案内床張材  ２…第２進路案内床張材  ３…設置面  ４…第１本体  ５…第１案内指標部  ａ…被検知材  ７…第２本体  ８，８´…第２案内指標部  １３…第３案内指標部  １４…第３本体  １５…第３進路案内床張材  １６…第４案内指標部  １７…検知ホルダー部材  ２０…伝播手段  ２２…センサー。
【図１】
0003218148.tif 000003
【図２】
0003218148.tif 000004
【図３】
0003218148.tif 000005
【図４】
0003218148.tif 000006
【図５】
0003218148.tif 000007
【図６】
0003218148.tif 000008
【図７】
0003218148.tif 000009
【図８】
0003218148.tif 000010